(57)【要約】【課題】防水性に優れた防水構造を提供する。【解決手段】コンクリート床Ｆ上に架台１が足ボルト２を介して設置されている。架台１上に複数枚の床板３が端面を突き合わせて配設されている。複数枚の防水シート４を敷設し、継目を水膨潤性シーリング材５でコーキング処理する。継目に跨って防水テープ６を貼り、側縁を弾性コーキング材７で処理する。防水シート４上にセメント板などよりなるタイル張り用下地板１１を敷設し、この下地板１１上に接着剤によってタイル１２を張り付け、目地１３を詰める。【選択図】図１
2006249688.tif 000002
【特許請求の範囲】
【請求項１】
パネルの表面に複数枚の防水シートが張設された防水構造において、
防水シート同士の継目を水膨潤性シーリング材でコーキング処理し、該継目を覆うように防水テープを貼着したことを特徴とする防水構造。
【請求項２】
請求項１において、該防水テープの両側縁と前記防水シートとの間を弾性コーキング材でコーキング処理したことを特徴とする防水構造。
【請求項３】
請求項１又は２において、該防水シート同士の継目に沿う辺縁部分の裏面が、該継目を跨ぐ幅員を有した両面粘着テープによって該パネルに付着されていることを特徴とする防水構造。
【発明の詳細な説明】
【技術分野】
【０００１】
本発明は防水構造に係り、特に床、壁又は天井などのパネルの表面に防水シートが張設されている防水構造に関する。
【背景技術】
【０００２】
浴室等の防水床を構築するために、床板の上に防水シートを敷設し、その上に仕上げ処理を施すことが行われている。
【０００３】
なお、特開平７−７１０９７号の図８，９には、コンクリート床の上に複数枚の防水シートを、防水シートの辺縁同士の間に若干の間隔をあけるようにして両面粘着テープで敷設し、防水シート同士の間にシーリング材を充填した防水床が記載されている。
【特許文献１】特開平７−７１０９７号公報
【発明の開示】
【発明が解決しようとする課題】
【０００４】
上記特開平７−７１０９７号公報の防水床では、防水シートの辺縁同士の間の防水性が不足する。即ち、同号公報では、防水シートの辺縁同士の間にシーリング材を充填しているが、このシーリング材と防水シートの端面との間を水が透過し易い。特に、床が熱膨張したときにはシーリング材とシート端面との剥離が生じ、防水性が極端に低下するおそれがある。
【０００５】
本発明は、上記従来の問題点を解決し、防水性に優れた床、壁、天井等の防水構造を提供することを目的とする。
【課題を解決するための手段】
【０００６】
請求項１の防水構造は、パネルの表面に複数枚の防水シートが張設された防水構造において、防水シート同士の継目を水膨潤性シーリング材でコーキング処理し、該継目を覆うように防水テープを貼着したことを特徴とするものである。
【０００７】
請求項２の防水構造は、請求項１において、該防水テープの両側縁と前記防水シートとの間を弾性コーキング材でコーキング処理したことを特徴とするものである。
【０００８】
請求項３の防水構造は、請求項１又は２において、該防水シート同士の継目に沿う辺縁部分の裏面が、該継目を跨ぐ幅員を有した両面粘着テープによって該パネルに付着されていることを特徴とするものである。
【発明の効果】
【０００９】
本発明の防水構造にあっては、防水シート同士の継目を水膨潤性シーリング材でコーキング処理しているため、仮に防水テープの下側を浸透して水が該継目部分に到達した場合でも、この水膨潤性シーリング材が水を吸収して膨潤し、継目を水密的にシールするようになり、水が防水シートの裏側にまで浸透することが防止される。なお、万が一、この水膨潤性シーリング材に施工不良等に起因したコーキング切れがあっても、水が浸透してきたときに、水膨潤性シーリング材が該水と接触すると膨潤し、確実に止水される。
【００１０】
請求項２の防水構造によると、防水テープと防水シートとの間への水の浸透が防止され、防水性がさらに向上する。
【００１１】
請求項３の防水構造では、防水シート同士の継目部分に沿う辺縁の裏面が両面粘着テープによってパネルに付着されており、この両面粘着テープが該継目部分を跨いで配設されている。このため、防水シートと両面粘着テープとの付着界面の面積が大きく、防水シートの継目部分の防水性が極めて高いものとなる。
【発明を実施するための最良の形態】
【００１２】
以下、図面を参照して実施の形態について説明する。図１、図２はそれぞれ実施の形態に係る防水構造としての防水床を示す縦断面図、図３は図２の防水床にタイル張りを施した状態を示す縦断面図である。
【００１３】
この実施の形態では、防水構造の一例として防水床の構築例を示す。
【００１４】
浴室等の構築予定スペースのコンクリート床Ｆ上に架台１が足ボルト２（図３）を介して設置されている。
【００１５】
この架台１は横桟と縦桟を直交状に組み付けた枠形のものである。
【００１６】
図１，２の通り、この架台１上に複数枚のパネルとしての床板３が端面を突き合わせて配設されている。床板３はテクスビス１０により架台１に固定される。床板３の一方の端面には、下縁側から張り出す相决り実部３ａが設けられ、他方の端面には上縁側から張り出す相决り実部３ｂが設けられている。これらの相决り実部３ａ，３ｂが係合されると共に、接着剤（図示略）により接着されている。
【００１７】
この床板３上に防水シート４を敷設するのに先立って、床板３にプライマーを塗布しておく。
【００１８】
図１では、この床板３の上に直ちに複数枚の防水シート４を敷設する。図２では、防水シート４の継目予定位置に沿って床板３に両面粘着テープ８を貼り付けた後、この床板３上に複数枚の防水シート４を敷設する。図２の場合、防水シート４はローラー等を用いて両面粘着テープ８に圧着し、気泡が残らないようにするのが好ましい。
【００１９】
なお、図１，２のいずれの場合も、防水シート４を図示しない両面テープや粘着剤などによって床板３に留め付けてもよい。
【００２０】
防水シート４を敷設する際に、防水シート４の辺縁同士は突き合わせるか、又は若干（例えば３ｍｍ以下程度）の間隙を開けて対峙させる。
【００２１】
この防水シート４同士の継目に水膨潤性シーリング材５をコーキングガン等を用いて充填し、コーキング処理する。この水膨潤性シーリング材は、継目から若干盛り上がるように充分に充填されるのが好ましい。その後、防水シート４の継目を跨ぐようにして防水テープ６を貼着する。その後、この防水テープ６の両側縁と防水シート４上面との交叉部分に変性シリコン系コーキング材などの弾性コーキング材７を付着させる。
【００２２】
その後、図３のように、防水シート４上にセメント板などよりなるタイル張り用下地板１１を敷設し、この下地板１１上に接着剤によってタイル１２を張り付け、目地１３を詰める。これにより、タイル張り防水床が構築される。
【００２３】
この防水床にあっては、万一、水が防水シート４，４の継目にまで浸透してきたとしても、この継目に充填された水膨潤性シーリング材５が水と接触して膨潤することにより、継目が水密的にシールされ、防水シート４の裏側にまで水が浸透することが防止される。
【００２４】
この実施の形態にあっては、防水テープ６や両面テープ８の幅をある程度大きくとることにより、防水シート４，４の継目部分の防水性を高いものとすることができる。
【００２５】
なお、防水テープ６の両側縁を弾性コーキング材７でコーキング処理しているので、防水性をさらに高いものとすることができる。
【００２６】
次に、上記各部材の好適な材料等について説明するが、本発明はこれに限定されるものではない。
【００２７】
上記床板３としては、発泡合成樹脂ボードや、セメント系ボード、合板などが好適である。
【００２８】
防水シート４としては、厚さが１〜３ｍｍ程度のＥＶＡシート等の合成樹脂シートや、ゴムシートが好適である。
【００２９】
防水テープ６や両面粘着テープ８としては、ガラス繊維や有機繊維等の不織布にブチルゴム等の粘着性ゴムや粘着性アスファルト等を含浸させたものが好適である。これらのテープ６，８の厚さは０．５〜２ｍｍ程度が好適であり、幅は１０〜１０００ｍｍ特に１００〜３５０ｍｍ程度が好適である。
【００３０】
水膨潤性シーリング材としては、水膨潤性ウレタンプレポリマーに、一般式Ｒ−ＮＣＯで示される末端にＮＣＯ基を１０％以上含む単官能イソシアネートを加えて、これに充填剤・可塑剤・溶剤を混合したものが好適である。
【００３１】
充填剤は水分を含まない状態でＮＣＯ基（イソシアネート基）と反応しない炭酸カルシウム、タルク、クレー、酸化チタン、酸化珪素等の無機質充填剤及び塩ビパウダー等の有機物が使用できる。
【００３２】
可塑剤はフタル酸ジブチル、フタル酸ジヘプチル、フタル酸ジオクチル、フタル酸ブチルベンジル等のフタル酸エステル系可塑剤が使用できる。溶剤は、キシレン、トルエン、エーテル系を用いることができる。単官能イソシアネートは、水分及び反応基を除去するために加えるので、反応性が大きな特に１０％以上のイソシアネート量の物が望ましい、例えばフェニルイソシアネート、ω−トルエンイソシアネート等がある。
【００３３】
水膨潤性ウレタンプレポリマーに使用される、ポリアルキレンポリオール、一般式Ｒ〔（ＯＲ１）ｎＯＨ〕ｐのＲに相当する多価アルコールは以下の物があげられる。エチレングリコール、プロピレングリコール、１，４−ブチレングリコール、ネオペンチルグリコール、グリセリン、トリオキシイソブタン、１，２，３−ブタントリオール、１，２，３−ペンタントリオール、２−メチル−１，２，３−プロパントリオール、２−メチル−２，３，４−ブタントリオール、２−エチル−１，２，３−ブタントリオール、トリメチロールプロパン、ペンタエリスリトール等である。以上の中で特に好ましいのはプロピレングリコール、グリセリン、トリメチロールプロパン等である。
【００３４】
一般式Ｒ〔（ＯＲ１）ｎＯＨ〕ｐの（ＯＲ１）に相当するポリエーテルポリオールは、炭素数３〜４のポリオキシアルキレン基とポリオキシエチレン基とを有するポリオキシアルキレン鎖をもち、ここでｎはオキシアルキレン基の重合度を示す数で水酸基当量が５００〜５０００になるに相当する数であり、アルキレンオキサイドとエチレンオキサイドとはランダム重合させたものである、ｐは２〜４で示される数である。ここで使用されるアルキレンオキサイドはプロピレンオキサイド、ブチレンオキサイドがあげられるが特にプロピレンオキサイドが好ましい。
【００３５】
かかるポリエーテルポリオールの１種又は２種以上の混合物と芳香族イソシアネートとを常法により反応せしめて、末端にＮＣＯ基を０．５〜３．０％含有するウレタンプレポリマーを得る。ここで使用される芳香族イソシアネートはトリレンジイソシナート（ＴＤＩ）、ジフェニルメタンジイソシアナート、（ＭＤＩ）、ナフタレンジイソシアネート（ＮＤＩ）、トリジンジイソシアネート（ＴＯＤＩ）、キシリレンジイソシアネート（ＸＤＩ）等を使用することができ、特にジフェニルメタンジイソシアナート（ＭＤＩ）を使用するのが、物性、貯蔵安定性及びコストの面で好ましい。
【００３６】
ただし、水膨潤性シーリング材は上記のものに限定されない。
【００３７】
なお、上記の実施の形態は防水床の構築例を示すものであるが、本発明は、防水床や防水天井を構築する場合にも適用可能である。例えば、この実施の形態を天地逆にし、床板３を天井板に置き換えることにより、防水性及び天井板同士の結合張度が高い防水天井を構築することが可能である。
【図面の簡単な説明】
【００３８】
【図１】実施の形態に係る防水床を示す縦断面図である。
【図２】別の実施の形態に係る防水床を示す縦断面図である。
【図３】図１の防水床にタイル張りを施した状態を示す縦断面図である。
【符号の説明】
【００３９】
１  架台
３  床板
４  防水シート
５  水膨潤性シーリング材
６  防水テープ
７  弾性コーキング材
１１  タイル張り用下地板
１２  タイル
【図１】
2006249688.tif 000003
【図２】
2006249688.tif 000004
【図３】
2006249688.tif 000005